(57)【要約】  車両車輪のタイヤを製造する装置（１００）であって、各タイヤは、長手軸（Ｘ−Ｘ）に沿って延びる形成支持体（５０）上に配置された少なくとも１つのカーカスプライ（２ａ）から始まって形成されるカーカス構造（２）を備える。この装置（１００）は、少なくとも１つの環状係留構造（１０）をカーカスプライ（２）の少なくとも１つの末端縁部（２ａ）上に位置決めする少なくとも１つの装置（１１０）を備え、前記位置決め装置（１１０）は、形成支持体（５０）の長手軸（Ｘ−Ｘ）の周囲に円周方向に延び、形成支持体（５０）から離れた動作位置と、形成支持体（５０）に近い少なくとも１つの動作位置との間で形成支持体（５０）に対して軸方向に移動可能である。この製造装置（１００）は、環状係留構造（１０）の周囲にカーカスプライ（２）の末端縁部（２ａ）を折り返す装置（１４０）をさらに備え、折り返し装置（１４０）は、環状係留構造（１０）の長手軸（Ｘ−Ｘ）の周囲に円周方向に延び、形成支持体（５０）に近づく／離れるように軸方向に移動可能である。位置決め装置（１１０）および折り返し装置（１４０）は、形成支持体（５０）の長手軸（Ｘ−Ｘ）に対して半径方向に同期して拡大可能／収縮可能であり、複数の異なる半径方向動作位置に設定可能であり、各半径方向動作位置は、製造すべきタイヤの特定の半径方向寸法に基づいて選択される。
2011529000.tif 000002
【特許請求の範囲】
【請求項１】
車両車輪のタイヤを製造する装置（１００）であって、各タイヤは、長手軸（Ｘ−Ｘ）に沿って延びる形成支持体（５０）上に配置された少なくとも１つのカーカスプライ（２ａ）から始まって形成されるカーカス構造（２）を備え、前記装置（１００）は、
−少なくとも１つの環状係留構造（１０）を前記少なくとも１つのカーカスプライ（２）の少なくとも１つの末端縁部（２ａ）上に位置決めする少なくとも１つの装置（１１０）であって、前記形成支持体（５０）の前記長手軸（Ｘ−Ｘ）の周囲に円周方向に延び、前記形成支持体（５０）から離れた動作位置と、前記形成支持体（５０）に近い少なくとも１つの動作位置との間で前記形成支持体（５０）に対して軸方向に移動可能である、少なくとも１つの位置決め装置（１１０）と、
−前記環状係留構造（１０）の周囲に前記カーカスプライ（２）の前記末端縁部（２ａ）を折り返す少なくとも１つの装置（１４０）であって、前記形成支持体（５０）の前記長手軸（Ｘ−Ｘ）の周囲に円周方向に延び、前記形成支持体（５０）に近づく／離れるように軸方向に移動可能である、少なくとも１つの折り返し装置（１４０）と
を備え、
前記位置決め装置（１１０）および前記折り返し装置（１４０）は、前記形成支持体（５０）の前記長手軸（Ｘ−Ｘ）に対して同期して半径方向に拡大可能／収縮可能であり、および複数の異なる半径方向動作位置に設定可能であり、各半径方向動作位置は、製造すべき前記タイヤの各半径方向寸法に基づいて選択される、装置（１００）。
【請求項２】
前記位置決め装置（１１０）は、円周方向に沿って互いに隣接してかつ前記形成支持体（５０）の前記長手軸（Ｘ−Ｘ）に対して同軸に配置された複数の位置決め部材（１１８）を備え、前記位置決め部材（１１８）は、前記形成支持体（５０）の前記長手軸（Ｘ−Ｘ）に対して、最大収縮位置と最大拡大位置との間で半径方向に同期して移動可能である、請求項１に記載の装置（１００）。
【請求項３】
前記位置決め部材（１１８）の前記半径方向移動を制御する装置（２００）を備え、前記制御装置（２００）は、前記形成支持体（５０）の螺旋形を有する摺動ガイド（２０６）と、前記長手軸（Ｘ−Ｘ）に対して半径方向に延びる複数の摺動ランナー（２０８）とを備え、前記位置決め部材（１１８）のそれぞれは、各摺動ランナー（２０９）および螺旋形を有する前記摺動ガイド（２０６）に摺動可能に結合され、それにより、前記ガイド（２０６）を所定の角度移動させると、各折り返し部材（１１８）が所定分だけ半径方向に移動する、請求項２に記載の装置（１００）。
【請求項４】
前記折り返し装置（１４０）は、円周方向に沿って互いに隣接しかつ前記形成支持体（５０）の前記長手軸（Ｘ−Ｘ）に対して同軸に配置された複数の折り返し部材（１４８）を備え、前記折り返し部材（１４８）は前記形成支持体（５０）の前記長手軸（Ｘ−Ｘ）に対して、最大収縮位置と最大拡大位置との間で半径方向に同期して移動可能である、請求項１〜３のいずれか一項に記載の装置（１００）。
【請求項５】
前記折り返し部材（１４８）の前記半径方向移動を制御する装置（３００）を備え、前記制御装置（３００）は、前記形成支持体（５０）の前記長手軸（Ｘ−Ｘ）を中心とした回転が制御可能な、螺旋形を有する摺動ガイド（３０６）と、前記長手軸（Ｘ−Ｘ）に対して半径方向に延びる複数の摺動ランナー（３０８）とを備え、前記折り返し部材（１４８）のそれぞれは、各摺動ランナー（３０９）および螺旋形を有する前記摺動ガイド（３０６）に摺動可能に結合され、それにより、前記ガイド（３０６）を所定の角度移動させると、各折り返し部材（１４８）が所定分だけ半径方向に移動する、請求項４に記載の装置（１００）。
【請求項６】
各折り返し部材（１４８）は、各アーム（１４２）の自由端部に関連付けられたローラ（１４１）を備え、各ローラ（１４１）は、圧縮バネ（１４３）により円周方向に連続したローラ（１４１）に結合される、請求項４または５に記載の装置（１００）。
【請求項７】
前記位置決め装置（１１０）および前記折り返し装置（１４０）は、前記形成支持体（５０）の前記長手軸（Ｘ−Ｘ）に平行する方向（ｘ）に沿って延びる少なくとも１つの摺動トラック（１０３ａ）上に摺動可能に取り付けられ、前記折り返し装置（１４０）は、前記形成支持体（５０）に関して、前記位置決め装置（１１０）に対して軸方向外側の位置において前記少なくとも１つの摺動トラック（１０３ａ）に関連付けられ、前記折り返し部材（１４８）の前記アーム（１４２）は、前記位置決め部材（１１８）に対して半径方向内側位置で軸方向に摺動可能である、請求項２に従属する場合の請求項６に記載の装置（１００）。
【請求項８】
前記カーカスプライ（２）の前記末端縁部（２ａ）を前記形成支持体（５０）の前記長手軸（Ｘ−Ｘ）に向けて引き下げる少なくとも１つの装置（１２０）をさらに備え、前記引き下げ装置（１２０）は、前記形成支持体（５０）の前記長手軸（Ｘ−Ｘ）の周囲に円周方向に延び、前記形成支持体（５０）から離れた動作位置から前記形成支持体（５０）に近い動作位置まで軸方向に移動可能であり、前記引き下げ装置（１２０）は、前記位置決め装置（１１０）および前記折り返し装置（１４０）と同期して、前記形成支持体（５０）の前記長手軸（Ｘ−Ｘ）に対して半径方向に拡大可能／収縮可能であり、複数の異なる半径方向動作位置に設定可能であり、各半径方向動作位置は、製造すべき前記タイヤの各半径方向寸法に基づいて選択される、請求項１〜７のいずれか一項に記載の装置（１００）。
【請求項９】
前記引き下げ装置（１２０）の前記半径方向拡大／収縮は、前記位置決め装置（１１０）の前記半径方向拡大／収縮により行われる、請求項８に記載の装置（１００）。
【請求項１０】
前記少なくとも１つの位置決め装置（１２０）は、円周方向に沿って互いに隣接しかつ前記形成支持体（５０）の前記長手軸（Ｘ−Ｘ）に対して同軸に配置される複数のプライ引き下げ部材（１２８）を備え、前記プライ引き下げ部材（１２８）は、前記形成支持体（５０）の前記長手軸（Ｘ−Ｘ）に対して、最大収縮位置と最大拡大位置との間で半径方向に移動可能である、請求項８または９に記載の装置（１００）。
【請求項１１】
前記プライ引き下げ部材（１２８）のそれぞれは、円周方向に並んで、部分的に重なる少なくとも２つの長手方向フィンガプレート（１２１）を備える、請求項１０に記載の装置（１００）。
【請求項１２】
２つの円周方向に連続するプライ引き下げ部材（１２８）の前記円周方向において隣接するフィンガプレート（１２１）は、前記円周方向において部分的に重なる、請求項１１に記載の装置（１００）。
【請求項１３】
前記位置決め装置（１１０）は、前記フィンガプレート（１２１）に関して半径方向外側位置において軸方向に摺動可能であり、前記位置決め装置（１１０）および前記引き下げ装置（１２０）の所定の半径方向位置に関して、前記位置決め装置（１１０）が前記フィンガプレート（１２１）に半径方向において重なる場合、前記フィンガプレート（１２１）は前記位置決め装置（１１０）により半径方向収縮構成に保たれ、前記位置決め装置（１１０）が前記引き下げ装置（１２０）に対して軸方向に移動して、前記フィンガプレート（１２１）に半径方向において重ならない場合、前記フィンガプレート（１２１）は半径方向拡大構成をとる、請求項１１または１２に記載の装置（１００）。
【請求項１４】
前記少なくとも１つの環状係留構造（１０）は、少なくとも１つの実質的に円周方向の環状インサート（１１）と、前記実質的に円周方向の環状インサートに対して半径方向外側位置において関連付けられた少なくとも１つの充填インサート（１２）とを備え、前記装置（１００）は、前記カーカスプライ（２）の前記末端縁部（２ａ）上に前記充填インサート（１２）を引き下げる少なくとも１つの装置（１３０）を備える、請求項１〜１３のいずれか一項に記載の装置（１００）。
【請求項１５】
前記充填インサートを引き下げる装置（１３０）は、複数の充填インサート引き下げ部材（１３８）を備え、そのような部材（１３８）のそれぞれは、各位置決め部材（１１８）により支持され、前記位置決め部材（１１８）に対して軸方向に摺動可能である、請求項２に従属する場合の請求項１４に記載の装置（１００）。
【請求項１６】
異なる半径方向を有する少なくとも２つのタイヤを含む車両車輪の多数のタイヤを製造する方法であって、各タイヤは、各長手軸（Ｘ−Ｘ）に沿って延びる各形成支持体（５０）上に配置された少なくとも１つの各カーカスプライ（２ａ）から始まって形成される各カーカス構造（２）を備え、前記方法は、
−第１の形成支持体（５０）の前記長手軸（Ｘ−Ｘ）の周囲に円周方向に延び、少なくとも１つの第１の環状係留構造（１０）を、前記第１の形成支持体（５０）上に配置された少なくとも１つの第１のカーカスプライ（２）の少なくとも１つの末端縁部（２ａ）に位置決めすることを目的とする少なくとも１つの第１の装置（１１０）を、各第１の半径方向動作位置において設定するステップであって、前記第１の半径方向動作位置のそれぞれは、前記多数のタイヤのうちの第１のタイヤの前記半径方向寸法に基づいて選択される、ステップと、
−前記長手軸（Ｘ−Ｘ）の周囲に円周方向に延び、前記環状係留構造（１０）の周囲に前記少なくとも１つの第１のカーカスプライ（２）の前記末端縁部（２ａ）を折り返すことを目的とする少なくとも１つの第２の装置（１４０）を、各第１の半径方向動作位置において設定するステップであって、前記第１の半径方向動作位置のそれぞれは、前記第１のタイヤの前記半径方向寸法に基づいて選択される、ステップと、
−前記少なくとも１つの第１の装置（１１０）を前記第１の形成支持体（５０）に向けて軸方向に移動させることにより、前記少なくとも１つの第１の環状係留構造（１０）を前記少なくとも１つのカーカスプライ（２）の前記末端縁部（２ａ）上に位置決めするステップと、
−前記第１の形成支持体（５０）に対して前記少なくとも１つの第２の折り返し装置（１４０）を軸方向および半径方向に移動させることにより、前記少なくとも１つの第１の環状係留構造（１０）の周囲に前記少なくとも１つの第１のカーカスプライ（２）の前記末端縁部（２ａ）を折り返すステップと、
−前記第１の形成支持体（５０）を、第２のカーカスプライ（２）が配置された第２の形成支持体（５０）で置き換えるステップと、
−各第２の半径方向動作位置に前記少なくとも１つの第１の装置（１１０）を設定するステップであって、前記第２の半径方向動作位置のそれぞれは、前記多数のタイヤのうちの第２のタイヤの前記半径方向寸法に基づいて選択され、前記第２のタイヤは、前記第１のタイヤの半径方向寸法と異なる半径方向寸法を有する、ステップと、
−前記第２のタイヤの前記半径方向寸法に基づいて選択される各第２の半径方向動作位置に、前記少なくとも１つの第２の装置（１４０）を設定するステップと、
−前記第１の装置（１１０）を前記第２の形成支持体（５０）に向けて軸方向に移動させることにより、少なくとも第２の環状係留構造（１０）を前記第２のカーカスプライ（２）の前記末端縁部（２ａ）上に位置決めするステップと、
−前記第２の形成支持体（５０）に対して前記第２の折り返し装置（１４０）を軸方向および半径方向に移動させることにより、前記環状係留構造（１０）の周囲に前記カーカスプライ（２）の前記末端縁部（２ａ）を折り返すステップと
を含む、方法。
【請求項１７】
前記少なくとも１つの第１の装置（１１０）を設定するステップおよび前記少なくとも１つの第２の装置（１４０）を設定するステップは、製造すべき前記タイヤの前記半径方向寸法に基づいて、前記長手軸（Ｘ−Ｘ）に対して前記少なくとも１つの第１の装置（１１０）および少なくとも１つの第２の装置（１４０）を同期させて半径方向において拡大／収縮するステップを含む、請求項１６に記載の方法。
【請求項１８】
前記少なくとも１つの第１の装置（１１０）および少なくとも１つの第２の装置（１４０）は、前記形成支持体（５０）の前記長手軸（Ｘ−Ｘ）を中心とした回転が制御可能な、螺旋形を有する各摺動ガイド（２０６、３０６）と、前記各ガイド（２０６、３０６）にそれぞれ摺動可能に結合された複数の位置決め部材（１１８）および折り返し部材（１４８）とを備え、前記少なくとも１つの第１の装置（１１０）および少なくとも１つの第２の装置（１４０）を半径方向において拡大／収縮するステップは、前記各部材（１１８、１４８）のそれぞれの所定の半径方向移動が、前記ガイド（２０６、３０６）の所定の角度移動に対応するように、前記ガイド（２０６、３０６）の回転を制御するステップを含む、請求項１７に記載の方法。
【発明の詳細な説明】
【技術分野】
【０００１】
本発明は、車両車輪のタイヤを製造する装置に関する。
【背景技術】
【０００２】
本発明は、半径方向寸法が異なる少なくとも２つのタイヤを含む車両車輪の多数のタイヤを製造する方法にも関する。
【０００３】
車輪車両のタイヤは一般に、弾性母材内に埋め込まれた補強コードにより形成される少なくとも１つのカーカスプライを備えるカーカス構造を備える。カーカスプライは、環状係留構造にそれぞれ係合する末端縁部を有する。環状係留構造は、普通「ビード」という名称で識別されるタイヤゾーン内に配置され、通常、各環状係留構造は実質的に円周方向の環状インサートからなり、少なくとも１つの充填インサートが半径方向外側位置に付与される。そのような環状係留構造は一般に「ビードコア」として識別され、車輪のリム内に特別に設けられた係留シートに良好に固定された状態にタイヤを保ち、それにより、動作中に、タイヤの半径方向内側の末端縁部がそのようなシートから外れないように働く。
【０００４】
ビードに、タイヤへのトルク伝達を改良する機能を有する特別な補強構造が設けられることもある。
【０００５】
カーカスプライに対して半径方向外側の位置に、１つまたは複数のベルト層を備えるベルト構造が関連付けられ、上記ベルト層は、互いに半径方向において上下に重ねて配置され、タイヤの円周方向拡張の方向（the direction of circumferential extension of the tyre）と交差する向きのおよび／または実質的に平行な織物または金属の補強コードを有する。
【０００６】
カーカス構造とベルト構造との間には、「アンダーベルト」として既知の弾性材料層を設けることができ、上記層は、カーカス構造の半径方向外面を、続くベルト構造の付与のために可能な限り均一にする機能を有する。
【０００７】
ベルト構造に対して半径方向外側位置に、これも同様に弾性材料から作られるトレッドバンドが付与される。
【０００８】
トレッドバンドとベルト構造との間には、弾性材料のいわゆる「下層」を配置することができ、上記層は、トレッドバンド自体の安定した結合の保証に適した性質を有する。
【０００９】
カーカス構造の側面には、弾性材料の各側壁も適用され、各側壁は、トレッドバンドの側縁部の一方から、ビードへの各環状係留構造まで延びる。上記カーカス構造を製造する装置は通常、上記カーカスプライがその上に配置される、長手軸に沿って延びる形成支持体と、ビードコアをカーカスプライの末端縁部に位置決めする装置と、ビードコアの周囲にカーカスプライの末端縁部を折り返す装置とを備える。
【００１０】
ビードコアを位置決めする装置は本質的にリング構造を備え、かかるリング構造は、ビードコアをカーカスプライの末端縁部上に位置決めするために、形成支持体に向かって軸方向に移動可能であり、タイヤビード形成プロセスの後続ステップを実行できるようにするために、形成支持体から離れて移動可能である。
【００１１】
本願と同じ出願人に付与された国際公開第２００８／００１１５４号パンフレットには製造装置が示されており、かかる製造装置では、ビードコアの周囲にカーカスプライの末端縁部を折り返す装置が本質的に、形成支持体に向かって／から離れて軸方向において移動可能な環状連続圧力要素を備える。そのような圧力要素は複数のアームを備え、各アームは自由端部に各折り返しローラを担持する。折り返しローラは、円周方向において互いに並んで、形成支持体の長手軸に対して同軸に配置される。ローラは同期して半径方向に移動可能であり、それにより、収縮位置と拡大位置との間での上記圧力要素の半径方向拡大／収縮を得る。折り返しローラの半径方向移動とそのようなローラの形成支持体に向かっての／から離れての移動との組み合わせにより、ビードコアの周囲にカーカスプライの末端縁部を上向かせて、タイヤビードを形成することができる。折り返し装置には、製造すべきタイヤの半径方向寸法に基づいて圧力要素の収縮位置を調整する手段がさらに設けられる。
【００１２】
本出願人は、概略的に上述したタイヤの折り返し装置を、異なる半径方向を有するタイヤの製造においてカーカスプライの末端縁部を折り返すステップを実行するために使用できることに気付いた。
【発明の概要】
【発明が解決しようとする課題】
【００１３】
しかし、本出願人は、上述したタイプの装置では、多くとも２つまたは３つの異なる隣接したフィッティングを有するタイヤの上記折り返すステップしか実行できないこと、換言すれば、上述した装置では、２インチまたは３インチしか違わない半径寸法を有するいくつかのタイヤに対してしか、折り返すステップを実行できないことに気付いた。
【００１４】
本出願人は、国際公開第２００８／００１１５４号パンフレットに記載のタイプの装置を使用してさえもやはりまだ、異なる半径方向寸法のタイヤの製造に、製造すべきタイヤの特定の半径方向寸法に基づいて特に設計されたビードコア位置決め装置を使用する必要があることにさらに気付いた。
【００１５】
本出願人は、ビードコアを位置決めする前にカーカスプライの末端縁部を引き下げるステップが提供される場合、かつ／またはビードコアの周囲にカーカスプライの末端縁部を折り返す前にビードコアの充填インサートを引き下げるステップが提供される場合、異なる半径方向寸法のタイヤを製造するには、製造すべきタイヤの特定の半径方向寸法に基づいて特に設計された各装置を使用する必要があることをさらに発見した。
【００１６】
本出願人はここで、カーカス構造の様々な製造ステップの実行に関わるすべての装置、ひいては少なくともビードコアを位置決めする装置およびカーカスプライの末端縁部を折り返す装置を、装置の形成支持体の長手軸に対して半径方向に拡大可能／収縮可能にすることで、常に同じ装置を使用して異なる半径方向寸法のタイヤを製造可能であることを発見した。
【００１７】
本出願人は、ビードコアを位置決めする前にカーカスプライの末端縁部を引き下げるステップが提供される場合、かつ／またはビードコアの周囲にカーカスプライの末端縁部を折り返す前にビードコアの充填インサートを引き下げるステップが提供される場合、上記ステップを実行するように意図された装置を、製造装置の形成支持体の長手軸に対して半径方向に拡大可能／収縮可能にすることもでき、ひいてはこれらの場合に、同じ製造装置を使用して異なる半径方向寸法のタイヤを製造可能なことをさらに発見した。
【００１８】
したがって、本出願人は、タイヤ製造装置において、ビードコア位置決め装置およびカーカスプライの末端縁部を折り返す装置、ならびにカーカスプライの末端縁部を引き下げる装置およびビードコアの充填インサートを引き下げる装置が設けられる場合にはこれら装置も、半径方向に拡大可能／収縮可能である場合、そのような装置ひいてはそれにより構成される製造装置を、複数の異なる半径方向動作位置に設定可能なことを発見した。この場合、各半径方向動作位置が、製造すべきタイヤの半径方向寸法に基づいて選択される。
【００１９】
本明細書および以下の特許請求の範囲を通して、用語「半径方向」および「軸方向」ならびに表現「半径方向内側／外側」および「軸方向内側／外側」は、形成支持体の半径方向および軸方向を基準にして使用される。それに代えて、用語「円周方向」および「円周方向的に」は、形成支持体の環状拡張部（the annular extension of the forming support）を基準にして使用される。
【課題を解決するための手段】
【００２０】
したがって、本発明は、本発明の第１の態様において、車両車輪のタイヤを製造する装置であって、各タイヤは、長手軸に沿って延びる形成支持体上に配置された少なくとも１つのカーカスプライから始まって形成されるカーカス構造を備え、装置は、
−上記少なくとも１つの環状係留構造を少なくとも１つのカーカスプライの少なくとも１つの末端縁部上に位置決めする少なくとも１つの装置であって、形成支持体の長手軸の周囲に円周方向に延び、形成支持体から離れた動作位置と、形成支持体に近い少なくとも１つの動作位置との間で形成支持体に対して軸方向に移動可能である、少なくとも１つの位置決め装置と、
−環状係留構造の周囲にカーカスプライの末端縁部を折り返す少なくとも１つ装置であって、形成支持体の長手軸の周囲に円周方向に延び、形成支持体に近づく／離れるように軸方向に移動可能である、少なくとも１つの装置と
を備え、
位置決め装置および折り返し装置は、形成支持体の長手軸に対して半径方向に同期して拡大可能／収縮可能であり、および複数の異なる半径方向動作位置に設定可能であり、各半径方向動作位置は、製造すべきタイヤの各半径方向寸法に基づいて選択される、装置に関する。
【００２１】
本明細書および以下の特許請求の範囲を通して、タイヤの半径方向寸法という表現は、タイヤが装着されることを意図されるリムのフィッティングの公称直径を示し、そのような直径は一般にインチ単位で示される。
【００２２】
本明細書および以下の特許請求の範囲では、「環状係留構造」という表現および「ビードコア」という用語は、多くの場合、タイヤの同じ構成要素を区別なく示すために使用される。
【００２３】
有利なことに、上述したタイヤの装置は、異なる半径方向寸法を有するタイヤの製造に使用し得る。実際に、そのような装置は複数の異なる動作配置に設定可能であり、各動作配置は、ビードコアを位置決めする装置およびカーカスプライの末端縁部を折り返す装置のそれぞれの半径方向位置により定義され、それにより、半径方向位置は、製造すべきタイヤの特定の半径方向寸法に基づいて適宜選択される。
【００２４】
したがって、有利なことに、特定の半径方向寸法を有するタイヤの製造から、異なる半径方向寸法を有するタイヤの製造に移行する場合に、装置の設定時間およびコストは劇的に低減する。
【００２５】
さらに、有利なことに、本発明の装置では、少なくとも４つの異なる隣接したフィッティングを有するタイヤを製造することができる。
【００２６】
本発明の装置は、個々にまたは組み合わせて、以下の好ましい特徴のうちの少なくとも１つを備えることができる。
【００２７】
好ましくは、環状係留構造を位置決めする装置は、円周方向に沿って互いに隣接してかつ形成支持体の長手軸に対して同軸に配置された複数の位置決め部材を備え、上記位置決め部材は、形成支持体の長手軸に対して、最大収縮位置と最大拡大位置との間で半径方向に同期して移動可能である。
【００２８】
有利なことに、上記位置決め部材の半径方向での同期した移動により、環状係留構造の位置決め装置が半径方向に拡大／収縮し、上記装置を、製造すべきタイヤの半径方向寸法に基づいて設計段階において定義される半径方向位置に設定することができる。
【００２９】
好ましくは、本発明の装置は、上記位置決め部材の半径方向移動を制御する装置を備え、そのような制御装置は、形成支持体の長手軸を中心とした回転が制御可能な、螺旋形を有する摺動ガイドと、上記長手軸に対して半径方向に延びる複数の摺動ランナーとを備え、上記位置決め部材のそれぞれは、各摺動ランナーおよび螺旋形を有する上記摺動ガイドに摺動可能に結合され、それにより、螺旋形を有するガイドを所定の角度だけ移動させると、各位置決め部材が所定分半径方向に移動する。
【００３０】
有利なことに、環状係留構造を所望の半径方向位置に位置決めする装置の設定は、単純に螺旋形を有する上記摺動ガイドを所定の角度だけ回転させることにより達成される。実際に、そのような回転により、位置決め部材が所定分、半径方向において移動する。
【００３１】
好ましくは、カーカスプライの末端縁部を折り返す装置は、円周方向に沿って互いに隣接してかつ形成支持体の長手軸に対して同軸に配置された複数の折り返し部材を備え、上記折り返し部材は、形成支持体の長手軸に対して、最大収縮位置と最大拡大位置との間で半径方向において同期して移動可能である。
【００３２】
有利なことに、上記位置決め装置の半径方向における同期された移動により、カーカスプライの末端縁部を折り返す装置は、半径方向において拡大／収縮し、上記装置を、製造すべきタイヤの半径方向寸法に基づいて設計段階で定義される半径方向位置に設定することができる。
【００３３】
好ましくは、本発明の装置は、上記折り返し部材の半径方向移動を制御する装置を備え、そのような制御装置は、形成支持体の長手軸を中心とした回転が制御可能な、螺旋形を有する摺動ガイドと、上記長手軸に対して半径方向に延びる複数の摺動ランナーとを備え、上記折り返し部材のそれぞれは、各摺動ランナーおよび螺旋形を有する上記摺動ガイドに摺動可能に結合され、それにより、螺旋形を有するガイドを所定の角度だけ移動させると、各折り返し部材が所定の分だけ半径方向において移動する。
【００３４】
有利なことに、カーカスプライの末端縁部を折り返す装置を所望の半径方向位置に設定することは、単純に上記螺旋形を有する摺動ガイドを所定の角度だけ回転させることにより達成される。実際に、そのような回転は、折り返し部材を所定の分だけ半径方向において移動させる。
【００３５】
好ましくは、各折り返し部材は、各アームの自由端部に関連付けられたローラを備え、各ローラは、圧縮バネにより円周方向に連続するローラに結合される。
【００３６】
有利なことに、上記バネは、カーカスプライの末端縁部を折り返す装置の円周方向での構造的連続性を保証する。そのようなバネは、カーカスプライの末端縁部を折り返す間、および異なる半径方向寸法を有するタイヤを製造する装置を設定する間に、ローラの半径方向位置が変動しても、形成支持体の軸Ｘ−Ｘに対する、上記折り返し部材からなる組立体の所望の同心性をさらに保証する。
【００３７】
好ましくは、環状係留構造を位置決めする装置およびカーカスプライの末端縁部を折り返す装置は、形成支持体の長手軸に平行する方向に沿って延びる少なくとも１つの摺動トラック上に摺動可能に取り付けられ、折り返し装置は、形成支持体に関して位置決め装置に対して軸方向外側位置において前記少なくとも１つの摺動トラックに関連付けられ、折り返し部材のアームは、位置決め部材に対して半径方向内側位置において軸方向に摺動する。
【００３８】
有利なことに、上述したタイプの構成では、装置の半径方向寸法および軸方向寸法を抑制することができ、スペース経済性に関して明らかに有利である。
【００３９】
本発明の好ましい実施形態では、本発明の製造装置は、形成支持体の長手軸に向けてカーカスプライの末端縁部を引き下げる少なくとも１つの装置をさらに備え、そのような引き下げ装置は、形成支持体の長手軸の周囲に円周方向に延び、形成支持体から離れた動作位置と形成支持体に近い動作位置との間で軸方向において移動可能であり、上記引き下げ装置は、位置決め装置および折り返し装置と同期して、形成支持体の長手軸に対して半径方向に拡大可能／収縮可能であり、上記引き下げ装置はさらに、複数の異なる半径方向動作位置に設定可能であり、各半径方向動作位置は、製造すべきタイヤの各半径方向寸法に基づいて選択される。
【００４０】
有利なことに、そのような装置は、異なる半径方向寸法のタイヤの製造に使用することができる。
【００４１】
好ましくは、カーカスプライの末端縁部を引き下げる装置の半径方向での拡大／収縮は、位置決め装置の半径方向での拡大／収縮により行われる。
【００４２】
本発明の好ましい実施形態では、上記引き下げ装置は、円周方向に沿って互いに隣接してかつ形成支持体の長手軸に対して同軸に配置された複数のプライ引き下げ部材を備え、上記プライ引き下げ部材は、形成支持体の長手軸に対して、最大収縮位置と最大拡大位置との間で半径方向に移動可能な各アームを備える。
【００４３】
有利なことに、上記プライ引き下げ部材のアームの半径方向での同期された移動は、カーカスプライの末端縁部を折り返す装置を半径方向において拡大／収縮させ、上記装置を、製造すべきタイヤの半径方向寸法に基づいて設計段階において定義される半径方向位置に設定することができる。
【００４４】
好ましくは、上記プライ引き下げ部材のそれぞれは、並んで、円周方向において部分的に重なる少なくとも２つの長手方向フィンガプレートを備える。より好ましくは、２つの円周方向に連続するプライ引き下げ部材の円周方向に隣接するフィンガプレートも円周方向において部分的に重なる。有利なことに、フィンガプレートの部分的な重なりにより、引き下げ部材の半径方向位置に関わりなく、ひいては製造すべきタイヤの半径方向寸法に関わりなく、カーカスプライの末端縁部を均等かつ効率的に折り返すことができる。
【００４５】
好ましくは、環状係留構造を位置決めする装置は、上記フィンガプレートに対して半径方向外側位置において軸方向に摺動可能であり、環状係留構造を位置決めする装置およびカーカスプライの末端縁部を引き下げる装置の所定の半径方向位置に関して、上記位置決め装置がフィンガプレートに半径方向において重なる場合、フィンガプレートは、そのような位置決め装置により半径方向収縮構成に保たれ、そのような位置決め装置が、カーカスプライの末端縁部を引き下げる装置に対して軸方向に移動して、フィンガプレートに半径方向において重ならない場合、フィンガプレートは半径方向拡大構成をとる。
【００４６】
有利なことに、半径方向拡大構成から半径方向収縮構成に移る際、フィンガプレートは、カーカスプライの末端縁部を引き下げる。より有利なことに、環状係留構造を位置決めする装置およびカーカスプライの末端縁部を引き下げる装置の所定の半径方向位置に関して、フィンガプレートの半径方向拡大は、環状係留構造を位置決めする装置に対して上記引き下げ装置を軸方向に移動させることにより行われ、その一方で、フィンガプレートの半径方向収縮は、カーカスプライの末端縁部を引き下げる装置に対して環状係留構造を位置決めする装置を軸方向に移動させることにより行われる。したがって、有利なプロセスの簡潔さが得られる。
【００４７】
環状係留構造は、好ましくは、少なくとも１つの実質的に円周方向の環状インサートと、実質的に円周方向の環状インサートに対して半径方向外側位置において関連付けられた少なくとも１つの充填インサートを備え、本発明の好ましい実施形態では、本発明の装置は、カーカスプライの充填インサート末端縁部を引き下げる少なくとも１つの装置を備える。
【００４８】
好ましくは、充填インサートを引き下げる装置は、複数の充填インサート引き下げ部材を備え、そのような各部材は、各位置決め部材により支持され、上記位置決め部材に対して軸方向に摺動可能である。
【００４９】
本発明のさらなる特徴および利点は、添付図面を参照して行われる本発明による装置および方法のいくつかの好ましい実施形態についての以下の詳細な説明からより明確になろう。
【図面の簡単な説明】
【００５０】
【図１】本発明による車両車輪のタイヤを製造する装置の部分の概略側面図である。
【図２】図１の製造装置のビードコア位置決め装置の部分およびプライ引き下げ装置の部分の拡大概略側面図である。
【図３】図１の製造装置のプライ引き下げ装置の部分の概略斜視図である。
【図４】図３の部分の要素の概略正面図である。
【図５】図１の製造装置の折り返し装置の部分の拡大概略側面図である。
【図６】図５の装置の部分の概略正面図である。
【図７】図２のビードコア位置決め装置および図５の折り返し装置の部分の概略正面図である。
【発明を実施するための形態】
【００５１】
図１では、参照番号１００が全体的に、本発明の好ましい実施形態による車両車輪のタイヤの製造方法に使用可能な装置の例示的な実施形態の部分を示す。
【００５２】
特に、装置１００は、１つまたは複数の環状係留構造１０（以下、ビードコアとも呼ばれ、図２によりよく示される）を、タイヤビードを形成することになるカーカス構造の領域に設ける、タイヤのカーカス構造を構築するステップに使用される。そのような環状係留構造１０は、車両タイヤのリムに特に設けられた係留シートにタイヤを良好に固定された状態に保つことを目的とする。
【００５３】
タイヤのカーカス構造を構築することは、カーカスプライの両末端縁部２ａが形成支持体５０から片持ち梁のように突出するように、カーカスプライ２を実質的に円柱形の形成支持体５０に配置する初期ステップを含む。続けて、各環状係留構造１０は、カーカスプライ２の両末端縁部２ａのそれぞれに関連付けられる。
【００５４】
添付図に示される実施形態では、各環状係留構造１０が、形成支持体５０の各側肩部５１において、カーカスプライ２の各末端縁部２ａに関連付けられる。
【００５５】
説明を簡潔にするために、装置１００および装置１００により実行されるプロセスについての説明は、カーカスプライ２の両末端縁部２ａのうちの一方のみおよび形成支持体５０の側肩部５１を参照して（したがって、両タイヤビードのうちの一方のみを参照して）以下に説明する。実際に、装置１００は軸方向において対称であり、一方の末端縁部２ａおよび形成支持体５０の片側５１を参照して行われる説明は、軸方向において逆側の末端縁部および形成支持体５０の側を参照しての説明にも当てはまる。
【００５６】
形成支持体５０は、完全に従来通りの様式で回転軸Ｘ−Ｘを中心として回転可能に取り付けられる。形成支持体５０の構造は、当業者により任意の都合のよい様式で作ることができるため、本明細書において詳述しない。同様に、形成支持体５０を支持し移動させる部材も、完全に従来通りであるため、説明しない。
【００５７】
図２に示されるように、環状補強構造１０は、少なくとも１つの実質的に円周方向の環状インサート１１と、半径方向外側位置に付与される少なくとも１つの充填インサート１２とを備える。
【００５８】
装置１００は、支持脚１０２が設けられた支持枠１０１を備える。対向する第１の対の軸方向摺動トラック１０３ａ（図１では、一方のみのトラック１０３ａが見える）およびトラック１０３ａに平行する対向する第２の対のトラック１０３ｂ（図１では、一方のみのトラック１０３ｂが見える）が、支持枠１０１のベース１０１ａに取り付けられる。
【００５９】
装置１００は、各軸方向端部に側部垂直部１０４をさらに備え、側部垂直部１０４には、３つの長手方向スクリュー１０５が互いに対して１２０°に配置して取り付けられる（図１では、そのようなスクリューのうちの２つのみが見える）。
【００６０】
装置１００は、形成支持体５０の回転軸Ｘ−Ｘに平行する方向ｘに沿って、ひいては図１および図２に矢印Ｆで示される方向の２つの対向する方向において、形成支持体５０に対する遠位位置と、形成支持体５０に近い位置との間で摺動して、形成支持体５０に近づいて、または形成支持体５０から離れて移動可能な装置１１０を備える。
【００６１】
装置１１０は、環状係留構造１０を支持し、環状係留構造１０をカーカスプライ２の末端縁部２ａに接触させることを目的とする。特に、装置１１０は、環状インサート１１を形成支持体５０の肩部５１に押し付けることにより、環状係留構造１０の実質的に円周方向の環状インサート１１に対して作用する。それにより、環状係留構造１０は、カーカスプライ２の末端縁部２ａ上の所望の位置に位置決めされる。以下、本明細書において、装置１１０は「ビードコア位置決め装置」とも定義される。
【００６２】
装置１１０は、各ランナー１１６により摺動トラック１０３ａに取り付けられた環状要素１１５を備える。
【００６３】
装置１００の代替の実施形態（図示せず）では、トラック１０３ａおよびランナー１１６に代えて、長手方向スクリュー１０５に平行する、側部垂直部１０４から延びる長手方向ガイドを設けて、装置１１０を軸方向に摺動させることができる。好ましくは、この場合、互いに対して１２０°に配置された３つの長手方向ガイド、したがって各長手方向スクリュー１０５につき１つの長手方向ガイドが設けられる。この場合、環状要素１１５は、各摺動ブシュにより上記長手方向ガイドに摺動可能に結合される。
【００６４】
複数のビードコア位置決め部材１１８が環状要素１１５に設けられ（それらのうちの１つが図２に詳細に示される）、位置決め部材１１８は、円周方向において互いに隣接してかつ形成支持体５０の軸Ｘ−Ｘに対して同軸に配置される。各ビードコア位置決め部材１１８は、環状係留構造１０の支持部分１１１と、支持部分１１１に対して半径方向外側位置に配置され、環状係留構造１０を押す部分１１２と、推力部分１１２に一体化され、位置決め部材１１８を環状要素１１５に結合できるようにすることを目的とするアーム１１２ａとを備える。
【００６５】
好ましくは、ビードコア位置決め部材は少なくとも８個である。より好ましくは、そのような部材は１６個または２４個である。
【００６６】
アーム１１２ａは、形成支持体５０の軸Ｘ−Ｘに対して半径方向に、かつ同期して移動可能であり、したがって、図１および図２に矢印Ｒで示される２つの対向する方向に移動可能である。
【００６７】
アーム１１２ａの同期された半径方向移動により、位置決め部材１１８の同期された半径方向移動、したがって最大収縮位置と最大拡大位置との間でのビードコア位置決め装置１１０の半径方向での拡大／収縮が可能である。したがって、装置１１０は、製造すべきタイヤの半径方向寸法にしたがって複数の異なる動作セットアップ配置をとることができ、そのような各配置は、位置決め部材１１８の対応する半径方向動作位置により定義される。
【００６８】
アーム１１２ａの半径方向移動、したがってビードコア位置決め装置１１０の半径方向での拡大／収縮が得られる方法についての詳細は、本明細書において以下に与えられる。
【００６９】
装置１００は、カーカスプライ２の末端縁部２ａを形成支持体５０の軸Ｘ−Ｘに向かって引き下げる装置１２０をさらに備える。そのような引き下げは、添付図に示される実施形態では、ビードコア位置決め装置１１０が形成支持体５０に近づいて、環状係留構造１０をカーカスプライ２の末端縁部２ａ上の所望の位置に位置決めするために必要である。本明細書において、以下、装置１２０は「プライ引き下げ装置」とも定義される。
【００７０】
図１および図２に示されるように、装置１２０は、ビードコア位置決め装置１１０に対して、矢印Ｇで示される２つの対向する方向において、軸Ｘ−Ｘに平行に摺動可能である。
【００７１】
装置１２０は、各ランナー１２６（図１）により、ベース１０１に取り付けられた摺動トラック１０３ｂに摺動可能に取り付けられた環状要素１２５を備える。長手方向スクリュー１５０に平行する長手方向ガイドが、ビードコア位置決め装置１１０を軸方向に摺動させるために設けられる場合、トラック１０３ｂおよびランナー１２６も（トラック１０３ａおよびランナー１１６と同様に）省いてよく、環状要素１２５は、各摺動ブシュにより上記長手方向ガイドに摺動可能に結合し得る。
【００７２】
環状要素１２５は、各リードナット１２７により長手方向スクリュー１０５にさらに結合される。リードナット１２７は、回転作動すると、形成支持体５０の軸Ｘ−Ｘに平行する方向ｘに沿って環状要素１２５を摺動させる。
【００７３】
環状要素１２５は、形成支持体５０に関してビードコア位置決め装置１１０の環状要素１１５に対して軸方向外部位置に配置される。環状要素１２５と環状要素１１５との間には、環状要素１２５に対する環状要素１１５の相対的な軸方向摺動を制御する一対の空気圧シリンダ１１７ａ、１１７ｂが設けられる。
【００７４】
複数のプライ引き下げ部材１２８が環状要素１２５に取り付けられ（それらのうちの１つが図２に詳細に示される）、引き下げ部材１２８は、円周方向に互いに隣接してかつ形成支持体５０の軸Ｘ−Ｘに対して同軸に配置される。そのようなプライ引き下げ部材１２８は、形成支持体５０の軸Ｘ−Ｘに対して半径方向に、かつ同期して移動可能であり、したがって、図１および図２に矢印Ｒ’で示される２つの対向する方向に移動可能である。
【００７５】
アーム１２８ａの同期された半径方向移動により、プライ引き下げ部材１２８の同期された半径方向移動、したがって最大収縮位置と最大拡大位置との間でのプライ引き下げ装置１２０の半径方向での拡大／収縮が可能である。したがって、装置１２０は、製造すべきタイヤの半径方向寸法にしたがって複数の異なる動作セットアップ配置をとることができ、そのような各構配置は、プライ引き下げ部材２１８の対応する半径方向動作位置により定義される。
【００７６】
図２〜図４に示されるように、各プライ引き下げ部材１２８は、アーム１２８ａの半径方向内側部分１２８ｂに一対の穴１２９を備える。穴１２９は、形成支持体５０の軸Ｘ−Ｘに平行に延び、各ビードコア位置決め部材１１８（図２）の推力部材１１２に一体化された各摺動ガイド１１９を収容する。
【００７７】
したがって、各プライ引き下げ部材１２８は、ビードコア位置決め部材１１８に対して摺動ガイド１１９上で摺動可能であり、関連付けられた各ビードコア位置決め部材１１８により半径方向において支持され、それにより、各プライ引き下げ部材１２８のアーム１２８ａの半径方向における移動が、各ビードコア位置決め部材１１８のアーム１１２ａの半径方向移動により作動する。
【００７８】
中央穴１２９ａが穴１２９の間に設けられ、中央穴１２９ａは、摺動ガイド１１９の間の形成支持体５０の軸Ｘ−Ｘに平行して延び、各ビードコア位置決め部材１１８の支持部材１１１と一体化された摺動ガイド（図２では見えない）を収容するのに適し、それにより、所望であれば、推力部分１１２に対して相対的に支持部分１１１を軸方向に摺動させることができる。好ましくは、圧縮バネ（図２に示されない）が、摺動ガイド１１９のヘッド１１９ａとアーム１２８ａの半径方向内側部分１２８ｂとの間に作用し、静止構成では、支持部分１１１を図２に示される位置に保持する。
【００７９】
図３および図４に示されるように、各プライ引き下げ部材１２８は、アーム１２８ａの半径方向内側部分１２８ｂの半径方向内面に長手方向に延び、円周方向において部分的に重なる複数のフィンガプレート１２１（添付図では、それぞれ１２１ａ、１２１ｂ、および１２１ｃで示される３つ）を備える。特に、プライ引き下げ部材１２８のフィンガプレート１２１ｃは、同部材のフィンガプレート１２１ａに部分的に重なり、その一方で、同部材の中央フィンガプレート１２１ｂは上記フィンガプレート１２１ａおよび１２１ｃに部分的に重なる。そうするために、フィンガプレート１２１ａは、フィンガプレート１２１ｃの傾斜角βよりも大きな傾斜角αを有して、フィンガプレート１２１ａ上にフィンガプレート１２１ｃが重なり易くする（図４）。
【００８０】
図３も、２つの円周方向に連続したプライ引き下げ部材１２８の円周方向外側フィンガプレート１２１がどのようにして、円周方向において部分的に重なるようにも配置されるかを示す。特に、プライ引き下げ部材１２８のフィンガプレート１２１ｃは、円周方向に連続するプライ引き下げ部材１２８のフィンガプレート１２１ａに部分的に重なる。
【００８１】
フィンガプレート１２１は、好ましくは、弾性曲げ材料で作られ、静止時に、全体として開いた花冠のような構成（an open corolla-like configuration）、すなわち、半径方向に拡大した構成をとるような形状である。他方、半径方向に応力がかけられると、フィンガプレート１２１は全体として、閉じられた、すなわち半径方向において収縮した構成をとり得る。
【００８２】
ビードコア位置決め装置１１０に相対してプライ引き下げ装置１２０が摺動する間、フィンガプレート１２１は、ビードコア位置決め部材１１８に対して半径方向内側の位置で（図２）、方向ｘにおいて軸方向に摺動する。
【００８３】
添付図に示される実施形態では、フィンガプレート１２１は、ビードコア位置決め装置１１０がフィンガプレート１２１に半径方向において重なる場合（図２）、ビードコア位置決め装置１１０のビードコア位置決め部材１１８により半径方向収縮構成に保持される。他方、フィンガプレート引き下げ装置１２０が方向ｘにおいてビードコア位置決め装置１１０に対して軸方向に移動し、それにより、ビードコア位置決め装置１１０がフィンガプレート１２１に半径方向において重ならない場合、フィンガプレート１２１は半径方向に拡大した構成をとる。
【００８４】
フィンガプレート１２１の形状および位置は、半径方向に拡大した構成である場合に円周方向において部分的に重なった状態を保つようなものである。
【００８５】
装置１００は、ビードコア位置決め装置１１０に取り付けられた、充填インサート１２を引き下げる装置１３０をさらに備える（図２）。
【００８６】
図２に示される特定の実施形態では、装置１３０は、各ローラ１３１（そのうちの１つのみが示される）がそれぞれ設けられた複数の充填インサート引き下げ部材１３８を備える。ローラ１３１は、各ビードコア位置決め部材１１８の推力部材１１２の上面に取り付けられる。
【００８７】
このようにして、ビードコア位置決め部材１１８の半径方向移動により、ローラ１３１が対応して半径方向に移動し、それにより、装置１３０が半径方向において拡大／収縮する。したがって、上記装置１３０を使用して、製造すべきタイヤの異なる半径方向寸法に対して環状係留構造１０の充填インサート１２を引き下げることができる。
【００８８】
ローラ１３１は、形成支持体５０の軸Ｘ−Ｘに対して同軸に、円周方向において並んで配置される。
【００８９】
各ローラは、本願と同じ出願人に付与された特許出願第ＰＣＴ／ＩＢ２００７／００３５００号に記載のように、各ビードコア位置決め部材１１８に弾性的に関連付けられる。特に、各ローラ１３１は、特別な圧縮バネ１３２により、各ビードコア位置決め部材１１８の推力部材１１２の半径方向外面に押し付けられた状態を保つ。
【００９０】
カーカスプライ２の末端縁部２ａ上での充填インサート１２の引き下げは、各ビードコア位置決め部材１１８の半径方向外側環状部分の半径方向外面上および環状係留構造１０の充填インサート１２の側面１２ａ上での、そのような側面１２ａの半径方向内側環状部分から始まって上記半径方向内側環状部分に対して半径方向において最も外側の側面１２ａの部分に続くローラ１３１の回転の結果、行われる。
【００９１】
装置１００は、環状係留構造１０の周囲にカーカスプライの末端縁部２ａを上向かせて、環状係留構造１０をその内部に含むカーカスプライ２の折り返し端部を形成するのに適した装置１４０をさらに備える。以下、本明細書では、装置１４０を「折り返し装置」とも定義する。
【００９２】
装置１４０は、ビードコア位置決め装置１１０およびプライ引き下げ装置１２０に対して、軸Ｘ−Ｘに平行して、図１および図５に矢印Ｈで示される２つの対向する方向に摺動可能である。
【００９３】
図１に示されるように、装置１４０は、環状要素１４５を備え、かかる環状要素１４５は、各ランナー１４６により摺動トラック１０３ａに取り付けられると共に、各リードナット１４７により長手方向スクリュー１０５に取り付けられる。リードナット１４７は、回転作動すると、形成支持体５０の軸Ｘ−Ｘに平行する方向ｘに沿って環状要素１４５を摺動させる。
【００９４】
長手方向スクリュー１０５に平行する長手方向ガイドが、ビードコア位置決め装置１１０およびカーカスプライ２の末端縁部２ａを引き下げる装置１２０を軸方向に摺動させるためにトラック１０３ａ、１０３ｂ、およびランナー１１６、１２６に代えて設けられる場合、環状要素１４５は、各摺動ブシュにより上記長手方向ガイドに摺動可能に結合する。
【００９５】
環状要素１４５は、形成支持体５０に関してカーカスプライの末端縁部を押し下げる装置１２０の環状要素１２５に対して半径方向外側位置に配置される。
【００９６】
複数の折り返し部材１４８が環状要素１４５に取り付けられ（それらのうちの１つが図５に詳細に示される）、折り返し部材１４８は、円周方向において互いに隣接して、形成支持体５０の軸Ｘ−Ｘに対して同軸に配置される。
【００９７】
折り返し部材１４８の数は、位置決め部材１１８の数に等しい。
【００９８】
各折り返し部材１４８は、各アーム１４２により支持される各ローラ１４１を備える。ローラは、円周方向に沿って互いに隣接して、形成支持体５０の軸Ｘ−Ｘに対して同軸に配置される。
【００９９】
図６に示されるように、各ローラ１４１には、各圧縮バネ１４３の介在により、円周方向に連続したローラ１４１に関連付けられる。
【０１００】
アーム１４２は、充填インサート１２がカーカスプライ２上で引き下げられた場合、環状係留構造１０のプロファイルを再現する経路に沿って形成支持体５０に対して軸方向および半径方向において同期して移動可能である。アーム１４２が同期して半径方向に移動することにより、折り返し装置１４８が同期して半径方向において移動し、ひいては、折り返し装置１４０が半径方向において拡大／縮小する。
【０１０１】
装置１４０の半径方向における拡大は、方向ｘに沿った上記装置の軸方向移動と共に、例えば、本願と同じ出願人に付与された特許出願である国際公開第ＷＯ２００８／０１１５４号パンフレットに記載のように、カーカスプライ２の末端縁部２ａを環状係留構造１０の周囲に折り返させる。
【０１０２】
形成支持体５０の軸Ｘ−Ｘに対する、したがって矢印「Ｒ」で図１および図２に示される２つの対向する方向での折り返し装置１４０のアーム１４２の同期した半径方向移動によりさらに、折り返し装置１４０を、製造すべきタイヤの半径方向の寸法にしたがって複数の異なる動作配置に設定することができ、そのような各配置は、折り返し部材１４８のアーム１４２の対応する半径方向動作位置により定義される。
【０１０３】
ビードコア位置決め部材１１８のアーム１１２ａの半径方向移動は、折り返し部材１４８のアーム１４２の半径方向移動と同期して行われる。そのような移動は、各制御装置２００、３００により全く同様に得られる。
【０１０４】
以下は、図２および図７を参照しての、ビードコア位置決め部材１１８のアーム１１２ａの半径方向移動の制御装置２００についての詳細な説明である。折り返し部材１４８のアーム１４２の半径方向移動の制御装置３００は、装置２００と全く同様であり、装置３００の構成要素は、装置２００に関連する構成要素に対応し、１００だけ増大された参照番号を使用して図３および図７において識別される。以下、装置３００の構成要素の参照番号は、装置２００の構成要素の参照番号の隣に括弧書きして示される。
【０１０５】
装置２００（３００）は、環状要素１１５（１４５）の軸方向外面に取り付けられる、モータリダクションユニット２０２（３０２）を支持することを目的とするブラケット２０１（３０１）を備える。
【０１０６】
プーリ２０３（３０３）が、モータリダクションユニット２０２（３０２）と同軸にブラケット２０１（３０１）にさらに取り付けられる。モータリダクションユニット２０２（３０２）は、プーリ２０３（３０３）の回転を制御し、かかるプーリ２０３（３０３）は、ベルト２０４（３０４）を通して、環状要素１１５（１４５）の軸方向外面に取り付けられた環状部材２０５（３０５）に回転を付与する。アルキメデスの螺旋（Archimedes spiral）に従った形状の螺旋状ガイド２０６（３０６）が、環状要素２０５（３０５）の軸方向内面に形成される（図７）。
【０１０７】
各部材１１８（１４８）のアーム１１２ａ（１４２）は、各ピン２０７（３０７）によりガイド２０６（３０６）に摺動可能に関連付けられる。明確にするために、１つのみのアーム１１２ａ（１４２）が図７に示されることに留意されたい。各部材１１８（１４８）のアーム１１２ａ（１４２）はさらに、ガイド２０８（３０８）に固定接続され、ガイド２０８（３０８）は、環状要素１１５（１４５）に取り付けられ半径方向にしたがって配置される各ランナー２０９（３０９）に、摺動可能に関連付けられる。したがって、図７においてＴで示される円周方向に沿って所定の角度だけ環状要素２０５（３０５）を回転させると、それに対応して、図７においてＲ（Ｒ’’）で示される半径方向に沿って各アーム１１２ａ（１４２）がシフトする。したがって、ビードコア位置決め部材１１８および折り返し部材１４８の同期された同心の移動、ひいてはビードコア位置決め装置１１０および折り返し装置１４０の半径方向における拡大／収縮が得られる。
【０１０８】
上述したように、各プライ引き下げ部材１２８および充填インサート１２を引き下げる各部材１３８が、半径方向において、各ビードコア位置決め装置１８に拘束されることに鑑みて、プライ引き下げ部材１２８および充填インサート１２を引き下げる部材１３８の半径方向移動は、ビードコア位置決め部材１１８の半径方向移動と一体的に行われる。
【０１０９】
上記説明から、ビードコア位置決め装置１００、プライ引き下げ装置１２０、充填インサート引き下げ装置１３０、引き上げ装置１４０の存在、および形成支持体５０に対する半径方向での拡大／収縮が可能なことにより、異なる半径寸法を有する複数のタイヤ、特に少なくとも４つの異なる近いフィッティング（different and adjacent fittings）を有するタイヤを製造する本発明の装置１００の使用が可能になることが明らかである。
【図１】
2011529000.tif 000003
【図２】
2011529000.tif 000004
【図３】
2011529000.tif 000005
【図４】
2011529000.tif 000006
【図５】
2011529000.tif 000007
【図６】
2011529000.tif 000008
【図７】
2011529000.tif 000009
【手続補正書】
【提出日】平成23年3月22日(2011.3.22)
【手続補正１】
【補正対象書類名】特許請求の範囲
【補正対象項目名】請求項３
【補正方法】変更
【補正の内容】
【請求項３】
前記位置決め部材（１１８）の前記半径方向移動を制御する装置（２００）を備え、前記制御装置（２００）は、前記形成支持体（５０）の長手軸を中心とした回転が制御可能な、螺旋形を有する摺動ガイド（２０６）と、前記長手軸（Ｘ−Ｘ）に対して半径方向に延びる複数の摺動ランナー（２０８）とを備え、前記位置決め部材（１１８）のそれぞれは、各摺動ランナー（２０９）および螺旋形を有する前記摺動ガイド（２０６）に摺動可能に結合され、それにより、前記ガイド（２０６）を所定の角度移動させると、各位置決め部材（１１８）が所定分だけ半径方向に移動する、請求項２に記載の装置（１００）。
【手続補正２】
【補正対象書類名】明細書
【補正対象項目名】０１０８
【補正方法】変更
【補正の内容】
【０１０８】
上述したように、各プライ引き下げ部材１２８および充填インサート１２を引き下げる各部材１３８が、半径方向において、各ビードコア位置決め部材１１８に拘束されることに鑑みて、プライ引き下げ部材１２８および充填インサート１２を引き下げる部材１３８の半径方向移動は、ビードコア位置決め部材１１８の半径方向移動と一体的に行われる。
【手続補正３】
【補正対象書類名】図面
【補正対象項目名】図７
【補正方法】変更
【補正の内容】
【図７】
2011529000.tif 000010
【国際調査報告】
2011529000.tif 000011
2011529000.tif 000012
2011529000.tif 000013